【事件の表示】
　特願２０１４−　２５７６３号「遊技機」拒絶査定不服審判事件〔平成２７年　８月２４日出願公開、特開２０１５−１５０１６２号〕について、次のとおり審決する。
【結　論】
　本件審判の請求は、成り立たない。
【理　由】
第１　手続の経緯
　本願は、平成２６年２月１３日の出願であって、平成２７年４月６日付けで拒絶理由通知がなされ、平成２７年６月１２日付けで手続補正がなされたが、平成２７年６月２６日付けで拒絶査定がなされ、これに対し平成２７年９月２５日付けで拒絶査定不服審判の請求がなされるとともに、これと同時に手続補正がなされたものである。
 
第２　平成２７年９月２５日付けの手続補正についての補正却下の決定
 ［補正却下の決定の結論］
 　平成２７年９月２５日付けの手続補正を却下する。
 
［理由］
１．補正の概要
　平成２７年９月２５日付けの手続補正（以下、「本件補正」という。）は、特許請求の範囲の請求項１の記載の補正を含む補正であり、特許請求の範囲の請求項１は、補正前（平成２７年６月１２日付け手続補正）の
「【請求項１】
　始動条件の成立により判定情報を取得する判定情報取得手段と、
　前記判定情報取得手段により取得された判定情報に基づいて、遊技者に有利な特別遊技を行うか否かを判定する特別遊技判定手段と、
　前記特別遊技判定手段の判定結果により特別遊技を行うと決定された場合に、特別遊技を制御する特別遊技制御手段と、
　前記特別遊技判定手段の判定結果に基づく遊技における遊技履歴情報を記録する履歴記録遊技を制御する履歴記録遊技制御手段と、
　前記遊技者により前記履歴記録遊技を終了する操作が行われると、該操作に基づいて前記履歴記録遊技制御手段によって記録した遊技履歴情報の消去を行うか否かを確認する確認手段と、
　前記確認手段によって前記遊技履歴情報の消去が許可された後に、前記履歴記録遊技を終了する終了画面を表示する終了画面表示手段と
　を具備し、
　前記終了画面表示手段は、
　前記履歴記録遊技を終了したことを表示すると同時に、遊技者が所定の操作を行えば前記終了画面とは異なる画面に遷移可能であることを前記終了画面において表示する
　ことを特徴とする遊技機。」
から、
　補正後（本件補正＝平成２７年９月２５日付けの手続補正）の
「【請求項１】
　始動条件の成立により判定情報を取得する判定情報取得手段と、
　前記判定情報取得手段により取得された判定情報に基づいて、遊技者に有利な特別遊技を行うか否かを判定する特別遊技判定手段と、
　前記特別遊技判定手段の判定結果により特別遊技を行うと決定された場合に、特別遊技を制御する特別遊技制御手段と、
　前記特別遊技判定手段の判定結果に基づく遊技における遊技履歴情報を記録する履歴記録遊技を制御する履歴記録遊技制御手段と、
　前記遊技者により前記履歴記録遊技を終了する操作が行われると、該操作に基づいて前記履歴記録遊技制御手段によって記録した遊技履歴情報の消去を行うか否かを確認する確認手段と、
　前記確認手段によって前記遊技履歴情報の消去が許可された後に、前記履歴記録遊技を終了する終了画面を表示する終了画面表示手段と
　を具備し、
　
前記履歴記録遊技制御手段は、
　前記遊技履歴情報の記録が開始されてから終了するまでに、前記特別遊技判定手段による前記判定が行われた場合には、前記判定が行われた実行回数を前記遊技履歴情報として記録する一方、前記遊技履歴情報の記録が開始されてから終了するまでに、前記特別遊技判定手段による前記判定が行われていない場合には、前記判定が行われていないことを示す回数からなる前記実行回数を前記遊技履歴情報として記録する履歴記録遊技を制御し、
　前記履歴記録遊技を終了したことを表示すると同時に、遊技者が所定の操作を行えば前記終了画面とは異なる画面に遷移可能であることを前記終了画面において表示する
　ことを特徴とする遊技機。」
へ補正された（下線部は補正箇所を示す）。
　
２．補正の適否　　
（１）新規事項について
　平成２７年９月２５日付けの手続補正（本件補正）により、請求項１には、「前記履歴記録遊技制御手段は、前記遊技履歴情報の記録が開始されてから終了するまでに、前記特別遊技判定手段による前記判定が行われた場合には、前記判定が行われた実行回数を前記遊技履歴情報として記録する一方、前記遊技履歴情報の記録が開始されてから終了するまでに、前記特別遊技判定手段による前記判定が行われていない場合には、前記判定が行われていないことを示す回数からなる前記実行回数を前記遊技履歴情報として記録する履歴記録遊技を制御し、」との事項が追加された。
　ここで、上記の事項のうち、「遊技履歴情報の記録が開始されてから終了するまでに、前記特別遊技判定手段による前記判定が行われていない場合には、前記判定が行われていないことを示す回数からなる前記実行回数を前記遊技履歴情報として記録する履歴記録遊技を制御し、」との事項（以下、「事項Ａ」という。）について検討する。
　上記事項Ａにおいて、「回数」と「実行回数」との関係が明らかでないものの、「判定が行われていないことを示す回数からなる前記実行回数」が、どのような回数を意味するのか検討するに、請求項１には、「判定情報取得手段により取得された判定情報に基づいて、遊技者に有利な特別遊技を行うか否かを判定する特別遊技判定手段」との記載があることから、「判定が行われていないことを示す回数からなる前記実行回数」とは、判定情報取得手段により取得された判定情報に基づいて、遊技者に有利な特別遊技を行うか否かの判定が行われていないことを示す回数からなる実行回数を意味するものと認められる。
　そうすると、上記事項Ａは、判定情報取得手段により取得された判定情報に基づいて、遊技者に有利な特別遊技を行うか否かの判定が行われていないことを示す回数からなる実行回数を遊技履歴情報として記録する履歴記録遊技を制御するとの事項を含むものである。
　出願人は審判請求書において、当該事項の補正の根拠として、段落[０６３９]、[０６４０]、図３１を挙げているが、当該段落には、「本履歴記録遊技状態」、「仮履歴記録遊技状態」、「フリープレイ状態」の説明があるのみであり、判定情報取得手段により取得された判定情報に基づいて、遊技者に有利な特別遊技を行うか否かの判定が行われていないことを示す回数からなる実行回数についての記載はない。
　また、図３１には、履歴記録遊技として、「レベル２４７」の態様が記載されているが、レベルを意味する「遊技レベル」は、段落[０４８６]−[０４８８]等の記載を鑑みれば、「ポイント（第１遊技値）」に基づいて設定される計数情報を意味するものであって、判定情報取得手段により取得された判定情報に基づいて、遊技者に有利な特別遊技を行うか否かの判定が行われていないことを示す回数からなる実行回数を意味するものとは認められない。
　さらに、「本履歴記録遊技状態」、「仮履歴記録遊技状態」、「フリープレイ状態」に関する他の記載（例えば、段落[０１４９]−[０１５８]、[０４６５]−[０４６９]）を鑑みても、段落[０４６５]に、始動条件が成立することにより取得した判定情報に基づいて遊技者に有利な特別遊技を行うか否かの判定処理の回数（判定処理実行回数情報）を遊技履歴情報として記録することが記載されているのみで、当該判定が行われていないことを示す回数からなる実行回数を遊技履歴情報として記録することについては何ら記載されていない。
　したがって、本件補正は、願書に最初に添付した明細書、特許請求の範囲又は図面に記載した事項の範囲内においてしたものでなく、また、これらすべての記載を総合することにより導かれる技術事項との関係において新たな技術事項を導入するものであり、特許法第１７条の２第３項の規定に違反するものである。
（２）小括
　したがって、本件補正は、審判請求人の主張を考慮しても、また、本願明細書等の他の記載を考慮しても、特許法第１７条の２第３項の規定に違反するものである。
３．むすび
　よって、本件補正は、補正目的を検討するまでもなく、特許法第１７条の２第３項の規定に違反するので、同法第１５９条第１項において読み替えて準用する同法第５３条第１項の規定により却下すべきものである。
第３　本願発明について
１．本件補正（平成２７年９月２５日付け手続補正）は、上記のとおり却下されたので、本願の請求項１に係る発明（以下、「本願発明」という。）は、平成２７年６月１２日付けの手続補正書により補正された上記第２の１．で前述したように特許請求の範囲の請求項１に記載された事項により特定される次のとおりのものである。
【請求項１】
　始動条件の成立により判定情報を取得する判定情報取得手段と、
　前記判定情報取得手段により取得された判定情報に基づいて、遊技者に有利な特別遊技を行うか否かを判定する特別遊技判定手段と、
　前記特別遊技判定手段の判定結果により特別遊技を行うと決定された場合に、特別遊技を制御する特別遊技制御手段と、
　前記特別遊技判定手段の判定結果に基づく遊技における遊技履歴情報を記録する履歴記録遊技を制御する履歴記録遊技制御手段と、
　前記遊技者により前記履歴記録遊技を終了する操作が行われると、該操作に基づいて前記履歴記録遊技制御手段によって記録した遊技履歴情報の消去を行うか否かを確認する確認手段と、
　前記確認手段によって前記遊技履歴情報の消去が許可された後に、前記履歴記録遊技を終了する終了画面を表示する終了画面表示手段と
　を具備し、
　前記終了画面表示手段は、
　前記履歴記録遊技を終了したことを表示すると同時に、遊技者が所定の操作を行えば前記終了画面とは異なる画面に遷移可能であることを前記終了画面において表示する
　ことを特徴とする遊技機。」
　
２．引用例
　原査定の拒絶の理由に引用された本願出願日前に頒布された刊行物である引用文献２（特開２０１３−１１６２４６号公報、以下、引用例１という。」）には、次の事項が記載又は図示されている。
（１）「【発明の詳細な説明】
【技術分野】
【０００１】
　本発明は、
遊技機
【背景技術】
【０００２】
　遊技機において行った遊技に関する情報を、次回以降の遊技に用いることによって継続的な遊技を行うことを可能にした技術が公開されている。」
（２）「【００２９】
　ここで
、第１始動口１４には遊技球の入球を検出する第１始動口検出スイッチ１４ａが設けられ、第２始動口１５には遊技球の入球を検出する第２始動口検出スイッチ１５ａが設けられている。そして、第１始動口検出スイッチ１４ａまたは第２始動口検出スイッチ１５ａが遊技球の入球を検出すると、特別図柄判定用乱数値等を取得し、後述する大当たり遊技を実行する権利獲得の抽選（以下、「大当たりの抽選」という）が行われる。
（３）「【００４７】
　ここで、
「大当たりの抽選」とは、第１始動口１４または第２始動口１５に遊技球が入球したときに、特別図柄判定用乱数値を取得し、取得した特別図柄判定用乱数値が「大当たり」に対応する乱数値であるか、「小当たり」に対応する乱数値であるかの判定する処理をいう。
【００４８】
　なお、第２特別図柄表示装置２１は、第２始動口１５に遊技球が入球したことを契機として行われた大当たりの抽選結果を報知するためのもので、その表示態様は、上記第１特別図柄表示装置２０における特別図柄の表示態様と同一である。
【００４９】
　また、本実施形態において「大当たり」というのは、第１始動口１４または第２始動口１５に遊技球が入球したことを条件として行われる大当たりの抽選において、大当たり遊技を実行する権利を獲得したことをいう。
「大当たり遊技」においては、第１大入賞口１６または第２大入賞口１７が開放されるラウンド遊技を計１５回行う。
（４）「【０２１７】
　図１５は、本発明の実施の形態における遊技システムにおいて行われる
履歴記録遊技
【０２１８】
　図１５を用いて、図１４に示す遊技システムを構成する情報処理サーバ（情報管理装置）と、情報端末と、遊技機とにおける履歴記録遊技の詳細な処理遷移を説明する。
・・・
【０２３２】
　続いて、仮パスワードが情報端末に表示された状態にあるとき、遊技者が、
遊技機の演出ボタン等を操作することによって図１６に示すような履歴記録遊技の開始画面を表示し、
【０２３３】
　図１６に示すようなメニュー画面は、履歴記録遊技の開始を指示する画面（履歴記録遊技開始指示画面）を示している。この履歴記録遊技開始指示画面において、演出ボタンを押下すること等によって図１７（ａ）に示すようなパスワードの入力画面が表示された状態となる。
・・・
【０２３６】
　以降、遊技機では、演出処理が行われて遊技媒体を用いた遊技が行われる（Ｓ１５０８）。この仮ログイン状態となって以降、遊技機では、遊技者による操作によって行われた
遊技に関する履歴情報を「遊技履歴情報」として記録
（５）「【０２４０】
　
遊技機の終了に際して、例えば、遊技者が図２１に示すような履歴記録遊技の終了を指示するメニュー画面（履歴記録遊技終了確認画面）を用いて遊技の終了を指示する。
【０２４１】
　これにより、そのときまでに記録している遊技履歴情報および指定を解除した遊技者情報のほか、「遊技者レベル」、「達成ミッション情報」、「価値情報」を含み、「仮パスワードを用いた遊技履歴情報の記録指示種別」を含むコード情報若しくは終了パスワードを作成して遊技機の表示器に表示する（Ｓ１５１０）。
【０２４２】
　
図２２には、終了コード情報が表示された例を示している。
【０２４３】
　
図２２に示す例では、
これらの情報を消去（クリア）することを指示する指示ボタン（データクリアボタン）が表示
【０２４４】
　このデータクリアボタンを選択して演出ボタンを押下することによって、仮ログイン状態となって以降に記録した遊技履歴情報等が消去されることとなる。
【０２４５】
　もちろん、図２２に示すデータクリアボタンを押下せず、図２３に示すようなデータの消去を指示するメニュー画面（データ消去指示画面）によってデータの消去（クリア）を指示することによって、
図２４に示すようなデータクリアを確認する画面を表示後、データが消去されて図２５に示すような確認画面が表示されるような処理
【０２４６】
　このようにして、遊技機においてログアウト処理が行われると、遊技者は、情報端末を操作することによって遊技機の表示器に遊技利用終了画面を表示してこの遊技利用終了画面にパスワード（以下、「終了パスワード」ともいう）が入力する（Ｓ１５１１）。」
（６）「【０２６２】
　
演出制御部２０６は、
遊技履歴情報として、
「記録指定情報」で指定された情報を記憶部２０３に記憶していく。
【０２６３】
　この
「記録指定情報」として、例えば、「仮ログイン状態」にある場合には遊技履歴情報として変動回数および大当たり抽選回数を記録することが指定されている。
（７）「【図面の簡単な説明】
【００１７】
・・・
【図２１】履歴記録遊技の終了を指示するメニュー画面（履歴記録遊技終了確認画面）の一例。
【図２２】履歴記録遊技を終了したことによりそれまでの遊技の遊技履歴情報等を含むコード情報を表示した画面の一例。
【図２３】データの消去を指示するメニュー画面（データ消去指示画面）の一例。
【図２４】データクリアを
確認する画面
【図２５】データクリアを行ったことを通知する画面の一例。」
（８）上記（７）も参考にしつつ、【図２１】〜【図２５】（【図２３】は除く。）を見ると以下のことが図示されている。
　【図２１】には、表示画面に、メニュー画面が表示され、その中で
履歴記録遊技終了を選択操作可能
  【図２２】には、表示画面に、「データクリアをすると履歴記録遊技終了です。」と表示され、
データクリアの操作可能
　【図２４】には、表示画面に、
「データクリア」、「現在までの遊技履歴をクリアして履歴記録遊技を終了しますか？」と表示され、
確認する画面
　【図２５】には、表示画面に、「
データをクリアしました
トップメニューに戻る
　以上の記載事項、図示内容から次の事項がいえる。
（９）上記（４）には、履歴記録遊技について記載され、遊技遊技に関する履歴情報を「遊技履歴情報」として記録していくことが記載され、上記（６）には、演出制御部２０６は遊技履歴情報として「記録指定情報」で指定された情報を記憶部２０３に記憶していくことが記載され、「記録指定情報」として変動回数および大当たり抽選回数を記録することが記載されている。
　したがって、
演出制御部２０６は、履歴記録遊技に関する履歴情報を「遊技履歴情報」として変動回数および大当たり抽選回数を記録すること
（１０）上記（５）には、遊技機の終了に際して、例えば、遊技者が図２１に示すような履歴記録遊技の終了を指示するメニュー画面（履歴記録遊技終了確認画面）を用いて遊技の終了を指示することが記載され、 図２２には情報を消去（クリア）することを指示する指示ボタン（データクリアボタン）が表示されることが記載され、図２４に示すようなデータクリアを確認する画面を表示後、データが消去されて図２５に示すような画面が表示されることが記載されている。
　一方、上記（８）の【図２１】に、メニュー画面から「履歴記録遊技終了」を選択操作可能とすることが図示され、その操作により、【図２２】に、「データクリアをすると履歴記録遊技終了です。」と画面表示され、データクリアの選択操作により、【図２４】に、「データクリア」、「現在までの遊技履歴をクリアして履歴記録遊技を終了しますか？」と表示され、ＹＥＳの確認操作により、【図２５】に、表示画面に、「データをクリアしました」と表示され、「トップメニューに戻る」と表示されることが図示されている。
　以上より、引用例１には、
遊技機の終了に際して、遊技者が履歴記録遊技終了確認画面を用いて遊技の終了を操作すると、「データクリアをすると履歴記録遊技終了です。」という確認画面が表示され、データクリアの選択操作により、「データクリア」、「現在までの遊技履歴をクリアして履歴記録遊技を終了しますか？」と表示され、確認操作により、 「データをクリアしました」、「トップメニューに戻る」の画面が表示されること
　上記の記載事項および認定事項を総合すると、引用例１には次の発明（「以下、引用発明という。」）が記載されている。
　「第１始動口１４又は第２始動口１５に遊技球が入球し、第１始動口検出スイッチ１４ａまたは第２始動口検出スイッチ１５ａが遊技球の入球を検出すると、特別図柄判定用乱数値等を取得し、
取得した特別図柄判定用乱数値が「大当たり」に対応する乱数値であるか判定し、大当たりの抽選をし、
　大当たりの抽選において、大当たり遊技を実行する権利を獲得したら、大当たり遊技においては、第１大入賞口１６または第２大入賞口１７が開放されるラウンド遊技を計１５回行い、
　演出制御部２０６は、履歴記録遊技に関する履歴情報を「遊技履歴情報」として変動回数および大当たり抽選回数を記録し、
　遊技機の終了に際して、遊技者が履歴記録遊技終了確認画面を用いて遊技の終了を操作すると、「データクリアをすると履歴記録遊技終了です。」と画面表示され、データクリアの選択操作により、「データクリア」、「現在までの遊技履歴をクリアして履歴記録遊技を終了しますか？」という確認画面が表示され、確認操作により、「データをクリアしました」、「トップメニューに戻る」の画面が表示される遊技機。」
３．対比
（１）引用発明の「第１始動口１４又は第２始動口１５に遊技球が入球し、第１始動口検出スイッチ１４ａまたは第２始動口検出スイッチ１５ａが遊技球の入球を検出」することは、本願発明の「始動条件の成立」に相当する。
　そして、引用発明の「特別図柄判定用乱数値等」は本願発明の「判定情報」に相当する。したがって、引用発明も本願発明と同様に「判定情報取得手段」を備えることは明らかである。
（２）引用発明の「大当たり」は本願発明の「遊技者に有利な特別遊技」に相当するから、引用発明の「取得した特別図柄判定用乱数値が「大当たり」に対応する乱数値であるか判定し、大当たりの抽選」をすることは、本願発明の「前記判定情報取得手段により取得された判定情報に基づいて、遊技者に有利な特別遊技を行うか否かを判定」することに相当する。そして、引用発明も本願発明と同様に「特別遊技判定手段」を備えているといえる。
（３）引用発明の「大当たりの抽選において、大当たり遊技を実行する権利を獲得したら、大当たり遊技においては、第１大入賞口１６または第２大入賞口１７が開放されるラウンド遊技を計１５回行い、」は、本願発明の「前記特別遊技判定手段の判定結果により特別遊技を行うと決定された場合に、特別遊技を制御する」ことに相当し、引用発明も「特別遊技制御手段」を有することは明らかである。
（４）引用発明の「変動回数および大当たり抽選回数を記録する遊技履歴情報」は、本願発明の「前記特別遊技判定手段の判定結果に基づく遊技における遊技履歴情報」に相当する。そして、「演出制御部２０６」は履歴記録遊技に応じた演出制御を行うものであることは明らかである。したがって、引用発明の「演出制御部２０６」は、本願発明の「履歴記録遊技制御手段」に相当するといえる。
（５）引用発明の「遊技機の終了に際して、遊技者が履歴記録遊技終了確認画面を用いて遊技の終了を操作する」と、本願発明の「遊技者により前記履歴記録遊技を終了する操作が行われる」は、いずれも、「遊技者により遊技又は履歴記録遊技を終了する操作」をする点で共通する。
　そして、引用発明の「データクリア」は本願発明でいう「遊技履歴情報の消去」に相当するから、引用発明の「データクリア」、「現在までの遊技履歴をクリアして履歴記録遊技を終了しますか？」の確認画面は確認操作のためであるから、本願発明の「遊技履歴情報の消去を行うか否かを確認手段」に相当する。
　また、引用発明の「データをクリアしました」、「トップメニューに戻る」の画面は「現在までの遊技履歴をクリアして履歴記録遊技を終了しますか？」の確認操作後、すなわち、履歴記録遊技を終了した後の画面であるから、引用発明の「データをクリアしました」及び「トップメニューに戻る」と表示された画面は、本願発明の「履歴記録遊技を終了する終了画面を表示する終了画面手段」に相当することは明らかである。そして、上記表示画面の一方の「トップメニューに戻る」という画面は、終了画面から別の画面に移行（遷移）することが可能な画面であるから、引用発明の「トップメニュー」の画面は、本願発明の「終了画面とは異なる画面」に相当する。
　そうすると、本願発明と引用発明を対比すると、両者は
「始動条件の成立により判定情報を取得する判定情報取得手段と、
　前記判定情報取得手段により取得された判定情報に基づいて、遊技者に有利な特別遊技を行うか否かを判定する特別遊技判定手段と、
　前記特別遊技判定手段の判定結果により特別遊技を行うと決定された場合に、特別遊技を制御する特別遊技制御手段と、
　前記特別遊技判定手段の判定結果に基づく遊技における遊技履歴情報を記録する履歴記録遊技を制御する履歴記録遊技制御手段と、
　前記遊技者による操作に基づいて前記履歴記録遊技制御手段によって記録した遊技履歴情報の消去を行うか否かを確認する確認手段と、
　前記確認手段によって前記遊技履歴情報の消去が許可された後に、前記履歴記録遊技を終了する終了画面を表示する終了画面表示手段と
　を具備し、
　前記終了画面表示手段は、
　前記履歴記録遊技を終了したことを表示すると同時に、遊技者が所定の操作を行えば前記終了画面とは異なる画面に遷移可能であることを前記終了画面において表示する遊技機。」において一致し、次の点で一応相違する。
（相違点）
　履歴記録遊技の終了に際し、本願発明は「遊技者により履歴記録遊技を終了する操作が行われる」のに対し、引用発明は、「遊技機の終了に際して、遊技者が履歴記録遊技終了確認画面を用いて遊技の終了を操作する」とした点。
４．判断
（１）そこで、上記相違点について検討する。
　引用例１について、上記２．（５）には、確かに、「遊技機の終了に際して、例えば、遊技者が図２１に示すような履歴記録遊技の終了を指示するメニュー画面（履歴記録遊技終了確認画面）を用いて遊技の終了を指示する。」と記載されている。しかしながら、上記２．（７）には「【図２１】履歴記録遊技の終了を指示するメニュー画面（履歴記録遊技終了確認画面）の一例。」と記載され、遊技機の終了に関する記載は見当たらない。また、上記２．（８）の【図２２】〜【図２４】においても、遊技機の終了に関する記載は見当たらない。よって、引用例１には、履歴記録遊技の終了について、遊技機の終了時を条件とすることが記載されているとは限らない。
　また、一般に履歴記録遊技を終了するに際しては、遊技の終了時か遊技の中断時であり、遊技中に行うことはまず考えらない。
　そうすると、引用発明において、履歴記録遊技の終了に際して、遊技機の遊技終了を条件とせず、例えば遊技の中断時を利用して、履歴記録遊技終了確認画面により、履歴記録遊技を終了することは当業者が適宜実施できることであるから、前記相違点に係る本願発明の構成のようにすることは当業者が容易に想到し得ることである。
　そして、本願発明の作用効果は引用発明および引用例１に記載された事項からみて格別なものではない。
（２）請求人の主張について
　審判請求人は、平成２７年６月１２日の意見書第３頁において、以下のような主張をしている。
「よって、引用文献２は、本願発明のように、履歴記録遊技そのものを終了させる際に表示される終了画面（機能を終了させるのではなく、遊技そのものを終了する画面）ではなく、ましてや、履歴記録遊技そのものを終了したことを表示することと、遊技者が所定の操作を行えばその終了画面とは異なる画面に遷移可能であることを表示したものではなく、これらを同時に表示したものでもない。また、引用文献２には、履歴記録遊技そのものを終了したときの画面についても記載されていないことから当然に示唆さえもされていない。」
　しかしながら、「履歴記録遊技そのものを終了させる際に表示される終了画面」という文言自体は本願の請求項１には記載がないが、上記文献（引用例１）には、図２１に示すような履歴記録遊技の終了を指示するメニュー画面（履歴記録遊技終了確認画面）を用いて履歴記録遊技を終了させることが記載されており、上記（１）で検討したとおりである。
　そして、「履歴記録遊技そのものを終了したことを表示することと、遊技者が所定の操作を行えばその終了画面とは異なる画面に遷移可能であることを表示したもの」については、上記３．（５）で検討したとおりである。
　したがって、請求人の主張は採用できない。
（３）付言
　上記第２での検討のとおり審判請求時の補正は却下すべきものであるが、仮に新規事項について違反がなかったとしても、補正後の請求項１の記載された発明について、明確性要件、サポート要件について、独立して特許を受ける要件を満たすものではない。更に、進歩性についても、上記２．（６）の引用例１の記載事項からみて認められるものではない。
５．むすび
　以上のとおり、本願発明は、特許法第２９条第２項の規定に基づいて特許を受けることができないものである。
　したがって、本願は拒絶すべきである。　
　よって、結論のとおり審決する。